(57)【要約】【課題】部品点数を少なくしつつ引戸を急激に閉めた時に発生する跳ね返りに対応してチリ寸法が変わっても、施錠信号又は閉扉信号を「確実かつ安定的」に取ることができること。【解決手段】戸先が戸枠に衝突した閉扉の際に、制御装置がスイッチの作動信号を拾う引戸錠のスイッチのオン・オフ機構に於いて、スイッチのオン・オフ機構は、トロヨケの内部に配設したスイッチと、このスイッチの可動接触片と摺接するオン・オフ用制御面或いはスイッチをオン・オフさせるための内端部を有すると共に、内装バネにより外方向に付勢された状態で受け金具に水平動自在に設けられた制御体と、錠箱に設けられ、閉戸時に操作片の操作に基づき移動するスライド駆動板と、この駆動板の駆動力により錠箱から進出するように該錠箱に設けられかつチリ寸法が変わってもスイッチがオン状態になるように前記制御体を押し込む水平作動杆とから成ることを特徴とする。【選択図】  図２
2005009175.tif 000002
【特許請求の範囲】
【請求項１】
戸先が戸枠に衝突した閉扉の際に、制御装置がスイッチの作動信号を拾う引戸錠のスイッチのオン・オフ機構に於いて、スイッチのオン・オフ機構は、トロヨケの内部に配設したスイッチと、このスイッチをオン・オフさせる内端部を有すると共に、内装バネにより外方向に付勢された状態で受け金具に水平動自在に設けられた制御体と、錠箱に設けられ、閉戸時に操作片の操作に基づき移動するスライド駆動板と、この駆動板の駆動力により錠箱から進出するように該錠箱に設けられかつチリ寸法が変わってもスイッチがオン状態になるように前記制御体を押し込む水平作動杆とから成ることを特徴とする引戸錠のスイッチのオン・オフ機構。
【請求項２】
請求項１に於いて、制御体の内端部にスイッチをオン・オフさせるための磁石が設けられていることを特徴とする引戸錠のスイッチのオン・オフ機構。
【請求項３】
戸先が戸枠に衝突した閉扉の際に、制御装置がスイッチの作動信号を拾う引戸錠のスイッチのオン・オフ機構に於いて、スイッチのオン・オフ機構は、トロヨケの内部に配設したスイッチと、このスイッチの可動接触片と摺接するオン・オフ用制御面を有すると共に、内装バネにより外方向に付勢された状態で受け金具に水平動自在に設けられた制御体と、錠箱に設けられ、閉戸時に操作片の操作に基づき移動するスライド駆動板と、この駆動板の駆動力により錠箱から進出するように該錠箱に設けられかつチリ寸法が変わってもスイッチがオン状態になるように前記制御体を押し込む水平作動杆とから成ることを特徴とする引戸錠のスイッチのオン・オフ機構。
【請求項４】
請求項３に於いて、スイッチは、可動接触片を有するマイクロスイッチであり、前記可動接触片は、閉戸時に制御体がトロヨケ内に後退すると、制御体の一辺に形成された傾斜状の制御面に押圧され、制御装置は、可動接触片が制御面に押圧された状態を施錠信号として拾うことを特徴とする引戸錠のスイッチのオン・オフ機構。
【請求項５】
戸先が戸枠に衝突した閉扉時に、制御装置がスイッチの作動信号を拾う引戸錠のスイッチのオン・オフ機構に於いて、スイッチのオン・オフ機構は、トロヨケの内部に配設したスイッチと、このスイッチの可動接触片と摺接するオン・オフ用制御面を有すると共に、内装バネにより外方向に付勢された状態で受け金具に水平動自在に設けられた制御体とから成り、前記制御体の先端部は受け金具から所定量突出するように設けられ、閉戸時、制御体は錠箱の前面に押されると、チリ寸法が変わってもスイッチがオン状態になるように内装バネのバネ力に抗して後退することを特徴とする引戸錠のスイッチのオン・オフ機構。
【請求項６】
請求項４に於いて、制御体の先端部は受け金具のストライクから略突出しないように設けられ、閉戸時、制御体は錠箱に設けられた突起部材に押されると、チリ寸法が変わってもスイッチがオン状態になるように内装バネのバネ力に抗して後退し、制御装置は、可動接触片が制御面に押圧された状態を閉扉信号として拾うことを特徴とする引戸錠のスイッチのオン・オフ機構。
【発明の詳細な説明】
【０００１】
【発明の属する技術分野】
本発明は、引戸錠（片引戸、引き違い戸）の錠箱に内装されたスイッチをオン（ＯＮ）・オフ（ＯＦＦ）させる引戸錠のスイッチのオン・オフ機構に関する。
【０００２】
【従来の技術】
錠箱のフロントから受け金具に向かって突出するトリガー（水平進退動部材）と、このトリガーに連動する施錠片（例えば鎌片）を備えた建具用引戸錠は、例えば実開昭５７−１１０２６０号公報に記載されている。
【０００３】
この種の引戸錠は、引戸の閉戸時、トリガーはその先端面がストライクの表面に突き当たると後退し始め、鎌片は動力変換機構（例えばラック及びピニオン）を介して掛合の方向へと突出する。
【０００４】
ところで、引戸を急激に閉めた時の「引戸の跳ね返り現象（跳ね返り）」によって引戸が戻るので、普通一般に、衝突する方の戸先と衝突される方の戸枠との間には、いわゆる「チリ（間隙）」を設定している。このチリは、例えば０．５ｍｍ〜５ｍｍ程度設けられている。
【０００５】
また、跳ね返り現象は、錠前の施・解錠機構を構成する各部材に少なからず影響を与えるので、引戸の跳ね返りに対応して鎌片を錠箱側に多少後退するように工夫をしている（例えば特許願２００１−１２５７３９号）。
【０００６】
引戸錠のスイッチのオン・オフ機構もその例外ではなく、スイッチの設置箇所、スイッチの可動接触片に対するスイッチ保持機構など構成如何によっては、引戸の跳ね返り現象を受けやすい。特に、閉扉した際或いは閉戸時における施錠の信号をトリガーの動きを利用して拾う機構の場合には、トリガーは、鎌片が衝突によって回転した分だけ動力変換機構等を介してストライク側へ進出する関係にあるから、前述した０．５ｍｍ〜５ｍｍ程度のチリ寸法が変わっても確実かつ安定的に閉扉信号或いは閉戸時における施錠信号を取ることが要求される。
【０００７】
なお、先行技術開示義務として、特開平３−１２１２８号公報を記載する。この公報に記載の通電装置のスイッチは、錠箱にスイッチを内装するものではないが、スイッチは「可動接触体」を有し、引戸の上部または戸枠の何れか一方に設けられ、閉扉信号を拾うものである。
【０００８】
【発明が解決しようとする課題】
本発明の目的は、引戸を急激に閉めた時に発生する跳ね返りに対応してチリ寸法が変わっても、閉戸時における施錠信号又は閉扉信号を「確実かつ安定的」に取ることができることである。特に、本発明では、制御体をさらに押し込んでも或いは制御体がチリ寸法に対応して相前後しても、スイッチの可動接触片と制御体との接近関係がさほど変わらないことである。
【０００９】
【課題を解決するための手段】
本発明の引戸錠のスイッチのオン・オフ機構は、戸先が戸枠に衝突した閉扉の際に、制御装置がスイッチの作動信号を拾う引戸錠のスイッチのオン・オフ機構に於いて、スイッチのオン・オフ機構は、トロヨケの内部に配設したスイッチと、このスイッチをオン・オフさせる内端部を有すると共に、内装バネにより外方向に付勢された状態で受け金具に水平動自在に設けられた制御体と、錠箱に設けられ、閉戸時に操作片の操作に基づき移動するスライド駆動板と、この駆動板の駆動力により錠箱から進出するように該錠箱に設けられかつチリ寸法が変わってもスイッチがオン状態になるように前記制御体を押し込む水平作動杆とから成ることを特徴とする。
【００１０】
また、本発明の引戸錠のスイッチのオン・オフ機構は、戸先が戸枠に衝突した閉扉の際に、制御装置がスイッチの作動信号を拾う引戸錠のスイッチのオン・オフ機構に於いて、スイッチのオン・オフ機構は、トロヨケの内部に配設したスイッチと、このスイッチの可動接触片と摺接するオン・オフ用制御面を有すると共に、内装バネにより外方向に付勢された状態で受け金具に水平動自在に設けられた制御体と、錠箱に設けられ、閉戸時に操作片の操作に基づき移動するスライド駆動板と、この駆動板の駆動力により錠箱から進出するように該錠箱に設けられかつチリ寸法が変わってもスイッチがオン状態になるように前記制御体を押し込む水平作動杆とから成ることを特徴とする。
【００１１】
さらに、本発明の引戸錠のスイッチのオン・オフ機構は、戸先が戸枠に衝突した閉扉時に、制御装置がスイッチの作動信号を拾う引戸錠のスイッチのオン・オフ機構に於いて、スイッチのオン・オフ機構は、トロヨケの内部に配設したスイッチと、このスイッチの可動接触片と摺接するオン・オフ用制御面を有すると共に、内装バネにより外方向に付勢された状態で受け金具に水平動自在に設けられた制御体とから成り、前記制御体の先端部は受け金具から所定量突出するように設けられ、閉戸時、制御体は錠箱の前面に押されると、チリ寸法が変わってもスイッチがオン状態になるように内装バネのバネ力に抗して後退することを特徴とする。
【００１２】
【発明の実施の形態】
図１乃至図５に示す第１実施例を参照に本発明の引戸錠Ｘのスイッチのオン・オフ機構Ｚを説明する。
【００１３】
（１）発明の実施の環境
まず、図１及び図２を参照に発明の実施の環境について説明する。Ｘは引戸１の中に収められる彫り込み型引戸錠である。一方、Ｙは戸枠２に固定的に取付けられた受け金具である。受け金具Ｙは、ボックス部を有するトロヨケ３と、このトロヨケ３の開口に重ね合わせられたストライク（受座）４とから成る。ストライク４は縦長板状に形成され、複数個の固着手段５を介してトロヨケ３の耳状の取り付け部に固定される。
【００１４】
６は前記ストライク４に多少突出するように設けられたトリガー用押し込み突起である。この押し込み突起６はトリガーの先端面と当接可能である。この押し込み突起６は、「チリ」設定を考慮して設けたものであるが、基本的にはストライク４の一部を構成する。したがって、ストライク４は、引戸１を閉める際に該押し込み突起６を介してトリガーを後退させる。７は鎌片用縦長窓、８はスイッチをオン・オフさせる制御体用窓、９はブロック状の制御体用案内部（水平切欠、水平溝、水平突条など）である。
【００１５】
（２）錠箱１０
次に図３を参照に錠箱について説明する。１０は引戸１の縦框に内装される錠箱である。この錠箱１０は、ケース身１０ａと、このケース身１０ａの大きい開口部を閉鎖する板状のケース蓋１０ｂとから成る。錠箱１０も引戸錠Ｘの一部を成す。
【００１６】
１１は錠箱１０の前側の開口に固定されたフロントである。このフロント１１は、普通一般に錠箱１０の長板状蓋板（或いは取付前壁）１２に固定されている。１３は錠箱を引戸１に固定するための複数個の第２固着手段である。１４は縦長状の鎌片用出入り窓、一方、１５は矩形状のトリガー用窓である。トリガー用窓１５は、鎌片用出入り窓１４と非連通状態に仕切られている。
【００１７】
（３）ケース身１０ａとケース蓋１０ｂ
ケース身１０ａとケース蓋１０ｂに形成された幾つかの案内部並びに支軸ついて説明する。まず錠箱１０の下部に設けられた案内部等について説明すると、１６はフロント１１（取付前壁１２も含む）の下部に形成された水平作動杆用案内窓、１７は該水平作動杆用案内窓の付近のケース身１０ａ又は／及びケース蓋１０ｂに形成された水平作動杆用水平案内部（水平切欠、水平溝など）、１８はこの水平案内部１７を基準にしてケース身１０ａ又は／及びケース蓋１０ｂの後壁寄りの部位に形成されたスライド駆動板用案内軸、１９は水平案内部１７よりも多少上方の位置に設けられた揺動リンク用支軸である。
【００１８】
次に錠箱１０の上部に設けられた案内部等について説明すると、２１は操作片用縦長窓、２２はトリガー用の第１の案内部（例えば突起片）、２３はトリガー用の第２の案内部（水平切欠、水平溝など）、２４は鎌片用支軸である。鎌片用支軸２４は鎌片自体に設けても良い。
なお、ケース身１０ａ及びケース蓋１０ｂには、その他に、図示しない施・解錠機構を構成する係止板を軸支するための固定軸用孔、仮施錠片用の案内孔、戸跳ね返り防止部材用の軸孔などが形成されているが、本発明の特定要件に関係ないので、図示及び説明を割愛する。
【００１９】
（４）トリガー：水平進退動部材
次に図２を参照にトリガー（進退動部材）２６について説明する。トリガー２６は錠箱に複数個のトリガー案内部２２．２３を介して摺動自在に設けられている。トリガー２６は、閉扉時に錠箱のフロント１１から突出する水平突出杆部２６ａと、この水平突出杆部にやや幅広に連設する横杆状バネ収容部とを有する。
【００２０】
前記バネ収容部には仮想線で示すようにトリガーバネ２７が組込まれている。トリガーバネ２７は、その後端部が図示しない垂直板に圧接し、常時水平突出杆部２６ａがフロント１１から突出するように付勢する。進退動部材２６の下部側壁には、動力変換機構の一部（本実施例ではラック）が形成されている。
【００２１】
（５）鎌片：施錠対象
２８は施錠対象の鎌片である。鎌片２８は、基部に動力変換機構の一部（ピニオン）を備えると共に、錠箱１０内に鎌片用支軸２４を介して軸支され、かつ、トリガー２６の後退動に連動してストライク４と掛合する方何へ回転する。
【００２２】
鎌片２８は、ピニオンを有する基部と、ストライク４と係合する鉤状先端部と、幅広後端部とから成り、前記幅広後端部の適宜部位には、仮施錠ないし本施錠時、図示しない係合可動部材の係合爪によって係止される連続的な係合歯が形成されている。
【００２３】
（６）主たる部材
次にスイッチのオン・オフ機構Ｚを構成する主たる部材について説明する。図１は本発明の構成をブロック図で示したものであり、図２は、その適用例の引戸錠Ｘを示す概略説明図である。
【００２４】
そこで、図４を参照にして本発明の主たる部材を説明する。スイッチ３８は、マイクロスイッチが採用され、制御体用窓８の付近にやや斜めの状態で固定的に配設されている。スイッチ３８は可動接触片３９を有し、該可動接触片３９は下向きである。制御体３６は角型のプロック形態（例えば直方体）であり、内端部の上壁（一辺）は傾斜状の制御面３６ａとなっている。
【００２５】
スイッチ３８の可動接触片３９は、閉扉時に該制御面３６ａに押圧され、制御装置４０は制御体３６の可動接触片３９に対する押圧状態を施錠信号として拾う。制御体３６の先端部の受け面３６ｂは、本実施例ではストライク４と略面一である（若干突出しても良い）。
【００２６】
制御体３６の左右の側壁には、トロヨケの案内部９に係合する突起４２．４２が設けられている。これらの突起４２．４２は、ストライク４の内壁面に当接し、制御体３６の停止位置を規制する。また、制御体３６には。その内端部の端面から受け面３６ｂに向かって内装バネ３７の一端部を収納するバネ収納部４３が形成されている。
【００２７】
操作片３１は、サムターンに相当する摘み操作部材の一種であり、操作片用縦長窓２１を介して縦長状のスライド駆動片３２の上端部に適宜結合している。スライド駆動片３２は錠箱の機構部との関係で縦長状に形成されている。ライド駆動片３２は、操作片３１を持ち上げると案内軸１８、垂直案内長孔４５等に案内されながらスライド上昇し、一方、操作片３１を押し下げるとスライド下降する。
【００２８】
揺動リンク３３は、錠箱１０の内部空間に配設され、その中央部が支軸１９に軸支されている。アングル状（端面Ｌ型状）に形成された一端部３３ａはスライド駆動板３２の幅広下端部に設けられた突起軸４６に枢支され、一方、段差状に形成された他端部３３ｂは、水平作動杆３５の後端部寄りの部位の切欠面に設けられた突起軸４７に軸支されている。したがって、揺動リンク３３は、スライド駆動板３２が上下動すると、前記突起軸４６を中心に左右に揺動する。
【００２９】
水平作動杆３５は、その後端部３５ａの両側壁に錠箱１０の水平案内部１７にそれぞれ係合する案内突起４８．４８を有すると共に、先端部３５ｂは錠箱１０の案内窓１６に係合している。したがって、本実施例では、水平作動杆３５は、スライド駆動板３２が下方向へ移動すると、錠箱に軸支された揺動リンク３３を介して錠箱１０から所定量突出する。
【００３０】
上記構成に於いて、図１を参照にして本発明の基本的な作用を説明する。第１実施例のスイッチのオン・オフ機構Ｚは、引戸１が戸枠２に衝突した閉扉の際に、例えば室内側から居住者が操作片３１を操作し、これによりスライド駆動片３２が下方方向へと駆動し、該駆動力により錠箱１０に軸支された揺動リンク３３が揺動し、該揺動により錠箱１０の下部に設けた水平作動杆３５が錠箱１０から突出する方向へと移動し、該移動により受け金具Ｙに設けた制御体３６が内装バネ３７のバネ力に抗して後退し、この後退動によりトロヨケ３内に設けられたスイッチ３８の可動接触片３９が前記制御体３６のスイッチオン・オフ用制御面３６ａにチリ寸法が変わってもスイッチがオン状態になるように押圧され、スイッチ３８と電気的に接続する制御装置４０は、制御体３６の可動接触片３９に対する押圧状態を施錠信号として拾うものである。
【００３１】
図５は閉扉した際（上方の概略図）に於いて、スライド駆動片３２が矢印Ａで示す方向へと下降し、該スライド駆動片３２の下降に伴い揺動リンク３３が時計方向に回転し、これに連動して水平作動杆３５が錠箱１０から突出する方向へと移動し、制御体３６が内装バネ３７のバネ力に抗して後退した結果、スイッチ３８の可動接触片３９が前記制御体３６に押されてスイッチがオン状態になった場合を示している。
【００３２】
図６は、上記図５の態様に於いて、チリ寸法Ｓが「例えば０．５ｍｍ（チリ小）」の場合とチリ寸法Ｓが「例えば５ｍｍ（チリ大）」の場合をそれぞれ対比して示している。この説明図から明らかなように、チリ寸法の変化に対応して制御体３６の位置がトロヨケ３内で多少相前後しても、制御体３６の可動接触片３９に対する押圧状態は、それほど変化はない。
【００３３】
換言すれば、制御体３６の傾斜状の制御面３６ａは可動接触片３９の接線方向へチリ寸法の変化に対応して多少相前後動するから、スイッチ３８は「オン」、「オフ」の状態を繰り返すような、いわゆる不安定な状態にはならない。
【００３４】
【実施例】
本実施例のスイッチ３８の一例として可動接触片を有するマイクロスイッチについて記述したが、スイッチは可動接触片を有するに限定されない。磁気感応スイッチであっても良い。スイッチ６０が磁気感応スイッチの場合には、特に図示しないが、制御体（３６．３６Ａ）の内端部に磁石が固定される。
【００３５】
第１実施例のスイッチのオン・オフ機構Ｚの制御装置４０は、制御体３６の可動接触片３９に対する押圧状態を施錠信号として拾うものであるが、この欄では、スイッチのオン・オフ機構Ｚ１．Ｚ２の制御装置４０Ａ．４０Ｂが、それぞれ閉扉信号を拾う場合の各実施例について説明する。
【００３６】
なお、以下の各実施例は、スライド駆動片３２の駆動力により揺動する揺動リンク３３、該揺動リンク３３によって錠箱１０から突出する方向へと移動する水平作動杆３５は不要である以外は、第１実施例と同一なので、同一構成の部分には、同一又は同様の符号を付し、重複する説明を割愛する。
【００３７】
図７及び図８は、第２実施例のスイッチのオン・オフ機構Ｚ１である。このスイッチのオン・オフ機構Ｚ１は、制御体３６Ａの先端部は受け金具Ｙから所定量突出するように設けられ、閉扉時、制御体３６Ａは錠箱１０Ａの前面１１（或いは錠箱に設けられた固定部材も含む）に押されると、チリ寸法Ｓが変わってもスイッチ３８がオン状態になるように内装バネ３７のバネ力に抗して後退する。すなわち、制御装置４０Ａは、引戸１を閉めると同時に後退動する制御体３６Ａを介して閉扉信号を拾う。
【００３８】
図９及び図１０は、第２実施例のスイッチのオン・オフ機構Ｚ２である。このスイッチのオン・オフ機構Ｚ２は、制御体３６Ｂの先端部は受け金具Ｙのストライク４から略突出しないように設けられ、閉戸時、制御体３６Ｂは錠箱１０Ｂの前面１１に固定的に設けられた突起部材５０に押されると、チリ寸法Ｓが変わってもスイッチ３８がオン状態になるように内装バネ３７のバネ力に抗して後退し、制御装置４０Ｂは、可動接触片３９が制御面３６ａに押圧された状態を閉扉信号として拾う。
【００３９】
【発明の効果】
以上の説明から明らかなように、本発明にあっては、スイッチのオン・オフ機構は、トロヨケの内部に配設したスイッチと、このスイッチの可動接触片と摺接するオン・オフ用制御面、或いはスイッチをオン・オフさせるための内端部を有すると共に、内装バネにより外方向に付勢された状態で受け金具に水平動自在に設けられた制御体と、錠箱に設けられ、閉戸時に操作片の操作に基づき移動するスライド駆動板と、この駆動板の駆動力により錠箱から進出するように該錠箱に設けられかつチリ寸法が変わってもスイッチがオン状態になるように前記制御体を押し込む水平作動杆とから成るので、引戸を急激に閉めた時に発生する跳ね返りに対応してチリ寸法が変わっても、制御装置は施錠信号を「確実かつ安定的」に取ることができる。
【００４０】
また本発明にあっては、スイッチのオン・オフ機構は、トロヨケの内部に配設したスイッチと、このスイッチの可動接触片と摺接するオン・オフ用制御面、或いはスイッチをオン・オフさせるための内端部を有すると共に、内装バネにより外方向に付勢された状態で受け金具に水平動自在に設けられた制御体とから成り、前記制御体の先端部は受け金具から所定量突出するように設けられ、閉戸時、制御体は錠箱の前面に押されると、チリ寸法が変わってもスイッチがオン状態になるように内装バネのバネ力に抗して後退するので、制御装置は閉扉信号を「確実かつ安定的」に取ることができる。後者の場合、錠箱の前面に制御体を押し込む固定突起を設けた場合にも同様の効果を得ることができる。
【図面の簡単な説明】
図１乃至図５は本発明の第１実施例を示す各説明図である。図６乃至図１０は他の実施例を示す各説明図である。
【図１】本発明の構成を示すブロック図。
【図２】その適用の一例である引戸錠を示す説明図。
【図３】錠箱及び受け金具の本発明の主要部に関連する部分の説明図。
【図４】本発明の主な部材の分解斜視図。
【図５】施錠信号を拾う場合の概略説明図（スライド駆動片が下降した場合）。
【図６】チリ寸法Ｓが「小さい」場合と「大きい」場合の対比を示す説明図。
【図７】第２実施例（制御装置４０Ａが閉扉信号を拾う場合）の説明図。
【図８】閉扉信号を拾う場合の概略説明図（閉扉時の場合）。
【図９】第３実施例（制御装置４０Ｂが閉扉信号を拾う場合）の説明図。
【図１０】閉扉信号を拾う場合の概略説明図（閉扉時の場合）。
【符号の説明】
Ｘ…引戸錠、１…引戸、Ｙ…受け金具、Ｚ．Ｚ１．Ｚ２…スイッチのオン・オフ機構、１…戸枠、３…トロヨケ、４…ストライク、１０．１０Ａ．１０Ｂ…錠箱、１１…フロント、５，１３…固着手段、２６…トリガー、２８…鎌片、３１…操作片、３２…スライド駆動片、３３…揺動リンク、３５…水平作動杆、３６．３６Ａ．３６Ｂ…制御体、３６ａ…制御面、３７…内装バネ、３８…スイッチ、３９…可動接触片、４０．４０Ａ．４０Ｂ…制御装置、４２…突起、４３…バネ収納部、Ｓ…チリ寸法。
【図１】
2005009175.tif 000003
【図２】
2005009175.tif 000004
【図３】
2005009175.tif 000005
【図４】
2005009175.tif 000006
【図５】
2005009175.tif 000007
【図６】
2005009175.tif 000008
【図７】
2005009175.tif 000009
【図８】
2005009175.tif 000010
【図９】
2005009175.tif 000011
【図１０】
2005009175.tif 000012